(57)【要約】【課題】電池の消費されるピーク電力を低減することができ、電池の利用率を向上させることができるカメラの発光装置を提供する。【解決手段】カメラはフラッシュ発光装置としてＬＥＤ発光装置１４及びＸｅ管発光装置１６を備えており、これらの発光装置１４、１６は、専用の大容量コンデンサ１１０から電力の供給を受ける。この大容量コンデンサ１１０は、電池２０を充電電源として定電流・定電圧充電回路１００により充電される。また、電池２０は、セット電源回路１２０を介して各デバイスに電力を供給する。従って、電池２０からカメラ内の各デバイスに電力を供給している場合でも、例えば、Ｘｅ管発光装置１６は、電池２０とは別の大容量コンデンサ１１０に蓄積された電力によりメインコンデンサを充電することができ、充電期間とカメラ動作とが重なっても電池２０のピーク電力が増加することがない。【選択図】  図２
2007121755.tif 000002
【特許請求の範囲】
【請求項１】
フラッシュ用電源として使用される大容量コンデンサ又は二次電池と、
カメラ電池を充電電源として前記大容量コンデンサ又は二次電池を充電する第１の充電手段と、
キセノン管と、該キセノン管に高圧電源を供給するメインコンデンサと、前記大容量コンデンサ又は二次電池を充電電源として前記メインコンデンサを充電する第２の充電手段とを有する第１の発光手段と、
を備えたことを特徴とするカメラの発光装置。
【請求項２】
フラッシュ光源として使用される発光素子と、前記大容量コンデンサ又は二次電池を電源とし、前記発光素子をフラッシュ発光させる手段とを有する第２の発光手段を更に備えたことを特徴とする請求項１に記載のカメラの発光装置。
【請求項３】
前記第１の充電手段は、前記カメラ電池により前記大容量コンデンサ又は二次電池を定電流又は定電圧で充電することを特徴とする請求項１又は２に記載のカメラの発光装置。
【請求項４】
前記第１の充電手段は、前記カメラ電池の電圧を降圧して前記大容量コンデンサ又は二次電池に供給する、１つスイッチを有する降圧回路を備え、前記カメラ電池から前記大容量コンデンサ又は二次電池に直接電流が流れるのを防止することを特徴とする請求項１乃至３のいずれかに記載のカメラの発光装置。
【請求項５】
、
前記第１の充電手段は、前記カメラ電池の電圧を降圧して前記大容量コンデンサ又は二次電池に供給し、又は前記カメラ電池の電圧を昇圧して前記大容量コンデンサ又は二次電池に供給する、２つのスイッチを有する昇降圧回路を備え、前記カメラ電池から前記大容量コンデンサ又は二次電池に直接電流が流れるのを防止するとともに、前記大容量コンデンサ又は二次電池から前記電源に直接電流が流れるのを防止することを特徴とする請求項１乃至３のいずれかに記載のカメラの発光装置。
【請求項６】
請求項１乃至５のいずれかに記載のカメラの発光装置と、
前記カメラ電池から電源を入力し、前記大容量コンデンサ又は二次電池以外のデバイスに電力を供給する電源手段と、
前記第１の充電手段による前記大容量コンデンサ又は二次電池の充電電流値を、前記電源手段からの電力の供給状況に応じて可変させる充電制御手段と、
を備えたことを特徴とするカメラ。
【発明の詳細な説明】
【技術分野】
【０００１】
本発明はカメラの発光装置及びカメラに係り、特にカメラ電池の利用率を高める技術に関する。
【背景技術】
【０００２】
デジタルカメラ等のカメラでは、キセノン管をフラッシュ光源とするフラッシュ装置が主に使用されており、その電源として電池の電圧を約３００Ｖに昇圧した電圧を、メインコンデンサに蓄えて発光用の電源として用いている。
【０００３】
また、近年、発光ダイオード（ＬＥＤ）をフラッシュ光源とするフラッシュ装置が提案されている。ＬＥＤに供給される電圧は低いものの、発光期間に電流を消費し続けることにより所要の発光量を得るようにしている。
【０００４】
ところで、メインコンデンサの充電時には大電流が供給されるため、メインコンデンサの充電期間とカメラの電流を消費する動作（レンズ駆動等）とが重なると、消費される電力が急激に増加し、電池（電源）の電圧が低下する。これにより、電池の残量がある場合でも電池が消耗したものと判別され、自動的に電源がオフにされるという問題がある。
【０００５】
特許文献１に記載の電子閃光装置（ストロボ装置）は、メインコンデンサの充電初期の大電流を制限し、電池に搭載された安全回路の作動が行われないようにしている。
【０００６】
また、特許文献２に記載のデジタルカメラ用電源回路は、被写体を補助照明するＬＥＤの起動時であっても電圧降下を発生させないように、電池によって充電されるバックアップ手段（コンデンサ）を備えている。
【特許文献１】特開平１１−１５０５０号公報
【特許文献２】特開２００５−８４４１１号公報
【発明の開示】
【発明が解決しようとする課題】
【０００７】
特許文献１の記載の電子閃光装置は、メインコンデンサの充電初期の大電流を制限することによって、電池の消費されるピーク電力を抑制することができるが、充電時間が長くなるという問題がある。また、メインコンデンサの充電期間とカメラ動作とが重なる場合には、１つの電池の電源が同時に使用されることは避けられず、その分、電池の利用率が低下するという問題がある。
【０００８】
また、特許文献２に記載のデジタルカメラ用電源回路も、ＬＥＤの発光期間とカメラ動作とが重なる場合には、１つの電池又はバックアップ手段の電力が同時に使用され、電池の利用率が低下するという問題がある。
【０００９】
更に、近年、電子カメラの高感度化（例えば、ＩＳＯ８００，ＩＳＯ１６００）が進むにつれ、例えば、高感度で近距離の被写体をフラッシュ撮影する場合には、微小発光しなければならないが、従来のキセノン管を光源とするフラッシュ装置では、微小発光の制御限界に達しており、新たなフラッシュ光源とその電源が課題となっている。また、カメラの撮影枚数を確保するための電源効率の向上と、ピーク電流の低減、フラッシュ連写の要求など、電池の使いこなし技術が求められている。
【００１０】
本発明はこのような事情に鑑みてなされたもので、電池の消費されるピーク電力を低減することができ、電池の利用率を向上させることができるカメラの発光装置及びカメラを提供することを目的とする。
【課題を解決するための手段】
【００１１】
前記目的を達成するために請求項１に係る発光装置は、フラッシュ用電源として使用される大容量コンデンサ又は二次電池と、カメラ電池を充電電源として前記大容量コンデンサ又は二次電池を充電する第１の充電手段と、キセノン管と、該キセノン管に高圧電源を供給するメインコンデンサと、前記大容量コンデンサ又は二次電池を充電電源として前記メインコンデンサを充電する第２の充電手段とを有する第１の発光手段と、を備えたことを特徴としている。
【００１２】
即ち、前記第１の発光手段は、メインコンデンサを充電するための充電電源を、カメラ電池から直接受けずに、フラッシュ用電源として使用される専用の大容量コンデンサ又は二次電池から受けるようにしている。従って、メインコンデンサの充電と、他のカメラセットへの電源供給とは、実質的に異なる電源（前者は大容量コンデンサ又は二次電池、後者はカメラ電池）から行われるため、充電期間とカメラ動作とが重なってもカメラ電池のピーク電力が増加せず、その結果、カメラ電池の電力を有効に利用すること（利用率を高めること）ができる。
【００１３】
請求項２に示すように請求項１に記載のカメラの発光装置において、フラッシュ光源として使用される発光素子と、前記大容量コンデンサ又は二次電池を電源とし、前記発光素子をフラッシュ発光させる手段とを有する第２の発光手段を更に備えたことを特徴としている。即ち、前記大容量コンデンサ又は二次電池は、前記第１の発光手段と第２の発光手段とに共用することができる。尚、第２の発光手段は、第１の発光手段では発光量が制御できない微小発光が必要なフラッシュ撮影に利用される。
【００１４】
請求項３に示すように請求項１又は２に記載のカメラの発光装置において、前記第１の充電手段は、前記カメラ電池により前記大容量コンデンサ又は二次電池を定電流及び定電圧で充電することを特徴としている。
【００１５】
請求項４に示すように請求項１乃至３のいずれかに記載のカメラの発光装置において、前記第１の充電手段は、前記カメラ電池の電圧を降圧して前記大容量コンデンサ又は二次電池に供給する、１つスイッチを有する降圧回路を備え、前記カメラ電池から前記大容量コンデンサ又は二次電池に直接電流が流れるのを防止することを特徴としている。
【００１６】
請求項５に示すように請求項１乃至３のいずれかに記載のカメラの発光装置において、前記第１の充電手段は、前記カメラ電池の電圧を降圧して前記大容量コンデンサ又は二次電池に供給し、又は前記カメラ電池の電圧を昇圧して前記大容量コンデンサ又は二次電池に供給する、２つのスイッチを有する昇降圧回路を備え、前記カメラ電池から前記大容量コンデンサ又は二次電池に直接電流が流れるのを防止するとともに、前記大容量コンデンサ又は二次電池から前記電源に直接電流が流れるのを防止することを特徴としている。
【００１７】
請求項６に係るカメラは、請求項１乃至５のいずれかに記載のカメラの発光装置と、前記カメラ電池から電源を入力し、前記大容量コンデンサ又は二次電池以外のカメラセットに必要な電力を供給する電源手段と、前記第１の充電手段による前記大容量コンデンサ又は二次電池の充電電流値を、前記電源手段からの電力の供給状況に応じて可変させる充電制御手段と、を備えたことを特徴としている。
【発明の効果】
【００１８】
本発明によれば、電池の消費されるピーク電力を低減することができ、これにより電池の利用率を向上させることができる。
【発明を実施するための最良の形態】
【００１９】
以下添付図面に従って本発明に係るカメラの発光装置及びカメラの好ましい実施の形態について詳説する。
【００２０】
図１は本発明に係るカメラ１の全体構成例を示すブロック図である。
【００２１】
図１において、カメラ（この実施の形態では、デジタルカメラ）１は、主としてＣＰＵ（中央処理装置）１０、撮像部１２、ＬＥＤ発光装置１４、キセノン（Ｘｅ）管発光装置１６、電源装置１８、電源（電池）２０、電源電圧監視回路２２、ＲＯＭ（Read Only Memory）２４、ＲＡＭ(Random Access Memory)２６、操作部２８、モニタ３０、及び記録メディア３２が接続されるメディアインタフェース３４を含んで構成されている。
【００２２】
ＣＰＵ１０は、カメラ１の各部を統括して制御するものである。
【００２３】
撮像部１２は、ＣＣＤ（Charge Coupled Device）などの撮像素子１３を含んで構成されており、被写体を撮像して画像を生成するものである。
【００２４】
ＬＥＤ発光装置１４は、図２に示すようにＬＥＤ用昇圧定電流回路１４Ａ及びＬＥＤ（発光ダイオード）１４Ｂを含んで構成されており、フラッシュ撮影時に本撮影を補助する補助光を発光するものである。
【００２５】
補助光は、オートフォーカスを補助するＡＦ補助光、フラッシュ撮影時に被写体輝度の不足を補う撮影補助光、赤目軽減のための補助的な発光である赤目軽減光、調光用のプリ発光等の本撮影を補助する光である。
【００２６】
また、ＬＥＤ発光装置１４は、機能表示を行う機能表示装置を兼ねている。機能表示は、セルフタイマ撮影の計時中であることを表示するセルフタイマ表示、操作その他の事象の発生に対する応答を表示する応答表示、その他のカメラ１の機能を示す表示である。
【００２７】
Ｘｅ管発光装置１６は、図２に示すようにＸｅ管電力変換回路１６Ａ及びＸｅ管１６Ｂを含んで構成されている。
【００２８】
電源装置１８は、電池２０から直流電源が供給され、ＬＥＤ発光装置１４及びＸｅ管発光装置１６に電力を供給するとともに、カメラ内の電力を消費する各セットに所要電圧の電力を供給するものである。尚、電源装置１８の詳細については後述する。
【００２９】
電源電圧監視回路２２は、電池２０の電圧を監視し、一定電圧値（カメラ動作が正常に行われる限界値）以下に達したか否かを示す信号をＣＰＵ１０に出力し、ＣＰＵ１０は、電源電圧監視回路２２から電池２０の電圧が一定電圧値以下に達したことを示す信号を入力すると、電源をオフにしてカメラの動作を停止させる。
【００３０】
ＲＯＭ２４は、ＣＰＵ１０が実行するプログラムやそのプログラムの動作に必要な各種の固定データを記憶するメモリである。
【００３１】
ＲＡＭ２６は、ＣＰＵ１０によるプログラムの実行に必要な作業領域として用いられるほか、画像を一時記憶する一時記憶領域としても用いられるメモリである。
【００３２】
操作部２８は、ユーザが操作を行うものであり、被写体の撮像を指示するシャッタボタン等の各種のボタンを含んで構成されている。
【００３３】
モニタ３０は、ＬＣＤ（液晶ディスプレイ）などで構成されており、被写体を撮像して得られた画像や、メニュー画面などを表示するものである。
【００３４】
メディアインタフェース３４は、メモリカードなどの記録メディア３２が接続されるもの（接続ポート）である。
【００３５】
＜第１実施形態のカメラの発光装置＞
図２は第１実施形態のカメラの発光装置及びその周辺部分を示すブロック図である。
【００３６】
第１実施形態のカメラの発光装置は、前述したＬＥＤ発光装置１４と、Ｘｅ管発光装置１６と、図１に示した電源装置１８を構成する定電流・定電圧充電回路１００と、大容量コンデンサ（又は２次電池）１１０と、セット電源回路１２０とから構成されている。
【００３７】
大容量コンデンサ１１０は、フラッシュ用電源として専用に使用されるコンデンサであり、例えば充電電圧が低く（数ボルト）、大容量の電気二重層コンデンサによって構成される。
【００３８】
定電流・定電圧充電回路１００は、電池２０から電源が供給され、予め設定された充電電流で大容量コンデンサ１１０を充電する。
【００３９】
セット電源回路１２０は、例えば、ＤＣ／ＤＣコンバータで構成され、セットが必要とする各種の電圧の電源を生成し、各デバイス（ＣＰＵ１０、撮像素子１３、モニタ３０等）に供給する。
【００４０】
大容量コンデンサ１１０に蓄積された電力は、ＬＥＤ発光装置１４及びＸｅ管発光装置１６に供給される。
【００４１】
図３はＬＥＤ発光装置１４の一例を示す回路図である。
【００４２】
同図に示すように、ＬＥＤ発光装置１４は、ＬＥＤ用昇圧定電流回路１４Ａ及びＬＥＤ１４Ｂを含んで構成されている。
【００４３】
ＬＥＤ用昇圧定電流回路１４Ａは、昇圧コイル１４１、トランジスタによって構成されたスイッチ１４２、このスイッチ１４２をオン／オフ制御するスイッチ制御回路１４３、及び平滑用のダイオード１４４とコンデンサ１４５からなる平滑回路から構成されている。
【００４４】
スイッチ制御回路１４３は、ＣＰＵ１０からＬＥＤ１４Ｂを発光させる発光制御信号が加えられえると、スイッチ１４２をオン／オフさせるパルス信号を出力する。スイッチ制御回路１４３によってスイッチ１４２がオン／オフされると、オン時に大容量コンデンサ１１０から電力が供給されて昇圧コイル１４１に蓄えられたエネルギは、オフ時に平滑回路に放出される。そして、この平滑回路から供給される定電流がＬＥＤ１４Ｂに流れ、抵抗１４Cによって定電流制御され、ＬＥＤ１４Ｂが一定電流で発光する。
【００４５】
図４はＸｅ管発光装置１６の一例を示す回路図である。
【００４６】
同図に示すように、Ｘｅ管発光装置１６のＸｅ管電力変換回路１６Ａは、主として充電回路１６１、メインコンデンサ１６２、トリガ回路１６３、及びトランジスタ１６４から構成されており、ＣＰＵ１０からはシャッターレリーズに同期した発光制御信号やチャージＯＮ信号CON を入力する。
【００４７】
チャージＯＮ信号CON を入力すると、充電回路１６１は、大容量コンデンサ１１０の電圧を高圧（例えば、３００Ｖ）に昇圧し、この昇圧した電圧によりメインコンデンサ１６２を充電する。メインコンデンサ１６２の充電電圧は、抵抗Ｒ１、Ｒ２の分圧値によって監視され、フラッシュ発光可能な所定の電圧以上になると、チャージＯＫ信号COK をＣＰＵ１０に出力する。
【００４８】
メインコンデンサ１６２が充電された後、シャッタレリーズボタンが押されると、ＣＰＵ１０は、そのシャッタレリーズボタンの操作に同期した発光制御信号を出力し、トランジスタ１６４をオンにする。
【００４９】
トリガ回路１６３は、トランジスタ１６４がオンされると同時にトリガ回路１６３内のトランスに電流が流れ、Ｘｅ管１６Ｂのトリガー電極に高電圧を印加する。これにより、Ｘｅ管１６Ｂの両極間でアーク放電し、Ｘｅ管１６Ｂが発光する。
【００５０】
上記ＬＥＤ発光装置１４及びＸｅ管発光装置１６では、大きなピーク電流が消費されるが、これらのＬＥＤ発光装置１４及びＸｅ管発光装置１６は、専用の大容量コンデンサ１１０から電力が供給されるため、その他のセット電源回路１２０への影響を少なくすることができるとともに、電池２０の急激な電力変動を抑制することができる。その結果、電池２０は、電源電圧監視回路２２で設定された電圧値まで安定して使用することができる。
【００５１】
＜カメラ全体の動作＞
次に、第１実施形態のカメラの発光装置を備えたカメラ全体の動作について、説明する。
【００５２】
図１において、ＣＰＵ１０は、撮像部１２を介して取り込んだ画像信号の積算値を算出し、この積算値と、測光時の絞り値、シャッタ速度及び撮影感度とに基づいて被写体の明るさ検出し、この検出した被写体の明るさに基づいて標準となる露出値（ＥＶ値）を算出する。
【００５３】
続いて、前記算出したＥＶ値と、手ブレ限界シャッタ速度と、フラッシュ発光モード（低輝度フラッシュ自動発光モード、フラッシュ発光禁止モード、フラッシュ強制発光モード等）とに基づいてフラッシュを発光すべきか否かを判別する。
【００５４】
例えば、低輝度フラッシュ自動発光モードの場合には、ＥＶ値が小さくなり、撮影感度を上げても、シャッタ速度が手ブレ限界シャッタ速度を維持できなくなる場合にフラッシュを発光させる。
【００５５】
フラッシュを発光させるときの撮影感度が高い場合（例えば、ＩＳＯ８００，ＩＳＯ１６００）には、Ｘｅ管発光装置１６によるフラッシュ発光量の調節ができなくなる場合がある。なぜならば、撮影感度が高く、かつ被写体が近い場合には、Ｘｅ管発光装置１６は、微小発光しなければならないが、キセノン管を光源としているため、制御可能な微小発光量には限界があるからである。
【００５６】
ＣＰＵ１０は、Ｘｅ管発光装置１６では制御ができない微小発光のフラッシュ撮影か否かを判別し、微小発光のフラッシュ撮影時と判別すると、Ｘｅ管発光装置１６に代えて、ＬＥＤ発光装置１４から撮影補助光を発光させる。
【００５７】
即ち、ＣＰＵ１０は、ＬＥＤ発光装置１４から調光用のプリ発光を行わせ、このプリ発光時に被写体からの反射光量を検知し、その反射光量に基づいてフラッシュ発光量（この場合、ＬＥＤ１４Ｂからは発光輝度が一定のため、本発光時間）を決定する。続いて、前記決定した本発光時間だけ発光制御信号をＬＥＤ発光装置１４に出力し、ＬＥＤ１４Ｂから撮影補助光を発光させる。
【００５８】
このようなフラッシュ撮影時に撮像部１２を介して取り込まれた画像は、ホワイトバランス調整などの所定の画像処理が施された後に、ＲＡＭ２６に一時記憶され、所要の画像処理が施され、モニタ３０に表示されるとともに、圧縮処理されてメディアインタフェース３４を介して記録メディア３２に記憶される。
【００５９】
＜第２実施形態のカメラの発光装置＞
図５は第２実施形態のカメラの発光装置及びその周辺部分を示すブロック図である。尚、図２に示した第１実施形態のカメラの発光装置及び電源装置の構成要素と同じ構成要素には、同じ符号を付してあり、詳細な説明は省略する。
【００６０】
図５に示す第２実施形態のカメラの発光装置は、図２に示した第１実施形態のカメラの発光装置と比較すると、主として定電流・定電圧充電回路１０２の機能が異なる。
【００６１】
即ち、この定電流・定電圧充電回路１０２は、Ｄ／Ａコンバータ１３０を介してＣＰＵ１０と接続されており、ＣＰＵ１０からＤ／Ａコンバータ１３０を介して充電電流の設定値が加えられるようになっている。
【００６２】
ＣＰＵ１０は、セット電源回路１２０からの各デバイスへの電力の供給状況（セットの動作状況（消費電流の大きなデバイスの動作の有無）、セットの消費電流値等）を監視し、その監視結果に応じて定電流・定電圧充電回路１０２に設定する充電電流の設定値を変更する。これにより、電池２０に対する消費電力の急激な変動を無くすことができ、電源電圧監視回路２２で設定された電圧値まで安定して使用することができる。
【００６３】
＜第１実施形態の定電流・定電圧充電回路＞
図６は第１実施形態の定電流・定電圧充電回路及びその周辺部分を示す図である。
【００６４】
同図において、定電流・定電圧充電回路１０２−１は、降圧回路方式のもので、ＰチャンネルＭＯＳ型電界効果トランジスタ（以下、単に「ＦＥＴ」という）Ａ、電流検出抵抗Ｂ、第１電圧検出抵抗Ｃ、第２電圧検出抵抗Ｄ、出力制御回路Ｅ、チョークコイルＦ、及び転流ダイオードＧから構成されている。
【００６５】
出力制御回路Ｅは、大容量コンデンサ１１０の充電期間中にＦＥＴ Ａをオン／オフ制御するパルス信号を出力する。このパルス信号によってＦＥＴ Ａがオン／オフされ、電池２０からＦＥＴ Ａを介して、チョークコイルＦにパルス電圧が印加され、チョークコイルＦ、大容量コンデンサ１１０によって平滑充電される。
【００６６】
また、出力制御回路Ｅは、上記充電中に電流検出抵抗Ｂの前後の電圧値から大容量コンデンサ１１０の充電電流値を検出するとともに、第１電圧検出抵抗Ｃと第２電圧検出抵抗Ｄとの分圧値に基づいて大容量コンデンサ１１０の充電状況を検出し、これらの検出値に基づいて充電を制御する。即ち、ＣＰＵ１０からＤ／Ａコンバータ１３０を介して加えられる充電電流の設定値と、検出した充電電流値とが一致するようにＦＥＴ Ａをオン／オフさせるパルス信号のオン時間とオフ時間との比を制御する。また、大容量コンデンサ１１０が満充電されたことが検出されると、充電動作を停止させる。
【００６７】
＜第２実施形態の定電流・定電圧充電回路＞
図７は第２実施形態の定電流・定電圧充電回路及びその周辺部分を示す図である。尚、図６に示した定電流・定電圧充電回路１０２−１と共通する部分には同一の符号を付し、その詳細な説明は省略する。
【００６８】
図７に示す第２実施形態の定電流・定電圧充電回路１０２−２は、第１実施形態の定電流・定電圧充電回路１０２−１と比較して、ＰチャンネルＭＯＳ型電界効果トランジスタ（以下、単に「ＦＥＴ」という）Ｈ、及び逆流防止ダイオードＩを更に備え、降圧制御と昇圧制御をするための信号を出力する点で相違する。
【００６９】
大容量コンデンサ１１０の充電電圧に対し電池２０の電圧が高い場合には、定電流・定電圧充電回路１０２−２は、前述した定電流・定電圧充電回路１０２−１と同様に降圧回路として機能し、電池２０の電圧を降圧して大容量コンデンサ１１０を充電させる。
【００７０】
一方、大容量コンデンサ１１０の充電電圧に対し電池２０の電圧が低い場合には、出力制御回路Ｅ'からＦＥＴ Ａを常時オンさせる信号が出力され、かつＦＥＴ Ｈをオン／オフさせるパルス信号が出力されると、定電流・定電圧充電回路１０２−２は、昇圧回路として機能し、電池２０の電圧を昇圧して大容量コンデンサ１１０を充電させる。
【００７１】
即ち、ＦＥＴ Ｈのオン時にチョークコイルＦに蓄えられたエネルギは、ＦＥＴ Ｈのオフ時に放出され、大容量コンデンサ１１０に充電される。
【００７２】
この定電流・定電圧充電回路１０２−２は、電池２０の電圧を降圧し、又は昇圧して大容量コンデンサ１１０を充電することができる。大容量コンデンサ１１０に蓄えられる電気量は、コンデンサ極板間の電圧に比例するため、定電流・定電圧充電回路１０２により徐々に電圧を上げて充電することにより大容量コンデンサ１１０に大きな電気量を充電させることができる。
【００７３】
尚、この実施の形態のカメラの発光装置は、カメラに設けられたものであるが、カメラに外付けされる発光装置単体のものも含む。また、本発明に係るカメラは、デジタルカメラに限定されるものではなく、デジタルビデオカメラ、カメラ付き携帯端末（例えば、携帯電話、携帯ゲーム機など）、その他の撮影機能を有する装置に適用してよいのはもちろんである。
【図面の簡単な説明】
【００７４】
【図１】図１は本発明に係るカメラの全体構成例を示すブロック図である。
【図２】図２は第１実施形態のカメラの発光装置の概略構成の例を示すブロック図である。
【図３】図３はＬＥＤ発光装置の一例を示す回路図である。
【図４】図４はＸｅ管発光装置の一例を示す回路図である。
【図５】図５は第２実施形態のカメラの発光装置の概略構成の例を示すブロック図である。
【図６】図６は第１実施形態の定電流・定電圧充電回路及びその周辺部分を示す図である。
【図７】図７は第２実施形態の定電流・定電圧充電回路及びその周辺部分を示す図である。
【符号の説明】
【００７５】
１…カメラ、１０…中央処理装置（ＣＰＵ）、１２…撮像部、１４…ＬＥＤ発光装置、１４Ａ…ＬＥＤ用昇圧定電流回路、１４Ｂ…ＬＥＤ、１４Ｃ・・・抵抗、１６…Ｘｅ管発光装置、１６Ａ…Ｘｅ管電力変換回路、１６Ｂ…キセノン管（Ｘｅ管）、１８…電源装置、２０…電池、２２電源電圧監視回路、１００、１０２、１０２−１、１０２−２…定電流・定電圧充電回路、１１０…大容量コンデンサ、１２０…セット電源回路、Ａ、Ｈ…ＦＥＴ、Ｂ…電流検出抵抗、Ｃ…第１電圧検出抵抗、Ｄ…第２電圧検出抵抗、Ｅ、Ｅ’…出力制御回路、Ｆ…チョークコイル、Ｇ…転流ダイオード、Ｉ…逆流防止ダイオード
【図１】
2007121755.tif 000003
【図２】
2007121755.tif 000004
【図３】
2007121755.tif 000005
【図４】
2007121755.tif 000006
【図５】
2007121755.tif 000007
【図６】
2007121755.tif 000008
【図７】
2007121755.tif 000009